(57)【特許請求の範囲】
【請求項１】
複数の箱形建物ユニットを組み合わせて建てられる建物であって、
玄関は、前記複数の箱形建物ユニットのうち一つの玄関用建物ユニットに設けられ、
勝手口は、前記玄関用建物ユニットに隣接するとともに、前記複数の箱形建物ユニットのうち一つの土間用建物ユニットに設けられ、
前記玄関用建物ユニット、および前記土間用建物ユニットは、互いの短辺同士が対向して接続され、
前記玄関用建物ユニット、および前記土間用建物ユニットの長辺方向の外壁に沿って連続するとともに、前記玄関から当該玄関の反対側に設けられた勝手口まで直線上に連続している土間が居室空間内に形成され、
前記土間用建物ユニットの内部には、当該土間用建物ユニットの長辺方向に沿って、上階にわたる階段を供えた階段室、および前記階段の下方空間に形成された収納室が設けられ、
当該収納室は、前記土間を挟んで前記外壁に対向して切り欠かれて形成された出入口を備え、
前記階段室は、前記土間用建物ユニットの長辺に沿って隣接するとともに前記複数の箱形建物ユニットのうち前記玄関用建物ユニット、および前記土間用建物ユニットとは別の建物ユニットの内部、および前記土間に出入り可能に連続していることを特徴とする建物。
【請求項２】
請求項１に記載の建物において、前記箱形建物ユニットは、四隅に立設される４本の柱と、これらの柱の上端間同士を結合する４本の天井梁および下端間同士を結合する４本の床梁とで構成された骨組みを備えていることを特徴とする建物。
【発明の詳細な説明】
【０００１】
【発明の属する技術分野】
本発明は建物に係り、例えば、複数の箱形建物ユニットを組み合わせて建てられるユニット式建物等の建物に関する。
【０００２】
【背景技術】
例えば、工業化住宅であるユニット式建物は、予め工場で生産される複数の箱形の建物ユニットを、現場で組み合わせることにより建てられる。このユニット式建物によれば、工場で建物ユニットの内外装まで行ってしまうので、建築現場での作業が大幅に軽減され、短時間で建築工事を完了できるという利点がある。
【０００３】
図４に示すように、このようなユニット式建物の建物ユニット１は、四隅に立設される４本の柱２と、これらの柱２の上端間同士および下端間同士を結合する各４本の天井梁３、床梁４とで構成された骨組み５を備えている。天井梁３の長辺梁間には、複数本の天井小梁６が架けわたされ、これらの天井小梁６の下面には図示しない天井面材が張り付けられている。また、床梁４の長辺梁間には、複数本の根太７が架けわたされ、これらの根太７の上面には図示しない床面材が張り付けられている。
【０００４】
このようなユニット式建物では、複数の箱形建物ユニットを組み合わせるため、外観が変化に乏しくなりがちであり、そのため、大きさの異なる建物ユニットを組み合わせたり、屋根の形状を変えたりして外観のデザインをよくしようと工夫する一方で、建物の内部を多目的に利用できるようにする等、機能を拡張させるため、例えばガレージをユニット式建物内に組み込んだビルトインガレージを構成したり、使用目的を決めず、何でもできるようなフリールームを設けたりしている。
【０００５】
【発明が解決しようとする課題】
しかし、ビルトインガレージは、ユニット式建物内に組み込まれており、駐車場不足等の問題を解決し、機能拡張の役割は果たしているが、あくまでも車庫であり、そのため、車庫以外の利用には適さない。利用できるにしても、車が置かれていないとき、例えば、車付きの買い物かごを少しの間置くとか、雨の日等に子供の遊び場所になるとかの場合等に限られる。
フリールームの場合は、多目的に利用することはできるが、あくまでも室内での利用であり、例えば雨の日に、外から帰ってきて、その場で、泥が付着した例えば車付きの買い物かごを置くとか、汚れた靴等の履き物を脱ぐとかの、例えば土間で行うようなことはできない。
【０００６】
本発明の目的は、履き物を履いたままでも居室内に出入りすることができ、多目的に利用することのできる室内空間を備えた建物を提供することにある。
【０００７】
【課題を解決するための手段】
請求項１に記載の発明は、図面を参照して説明すると、図１，２に示すように、複数の箱形建物ユニットを組み合わせて建てられる建物であって、玄関は、前記複数の箱形建物ユニットのうち一つの玄関用建物ユニットに設けられ、勝手口は、前記玄関用建物ユニットに隣接するとともに、前記複数の箱形建物ユニットのうち一つの土間用建物ユニットに設けられ、前記玄関用建物ユニット、および前記土間用建物ユニットは、互いの短辺同士が対向して接続され、前記玄関用建物ユニット、および前記土間用建物ユニットの長辺方向の外壁１９に沿って連続するとともに、前記玄関から当該玄関の反対側に設けられた勝手口まで直線上に連続している土間１８が居室空間１００内に形成され、前記土間用建物ユニットの内部には、当該土間用建物ユニットの長辺方向に沿って、上階にわたる階段を供えた階段室、および前記階段の下方空間に形成された収納室が設けられ、当該収納室は、前記土間を挟んで前記外壁に対向して切り欠かれて形成された出入口を備え、前記階段室は、前記土間用建物ユニットの長辺に沿って隣接するとともに前記複数の箱形建物ユニットのうち前記玄関用建物ユニット、および前記土間用建物ユニットとは別の建物ユニットの内部、および前記土間に出入り可能に連続していることを特徴とする建物１０である。
【０００８】
このような本発明では、土間が建物の居室内に、建物の外壁に沿って連続して形成されているので、例えば玄関、勝手口に土間を連続させることで、靴等の履き物をはいたまま土間を通って居室内に出入りすることができる。従って、例えば雨の日等に濡れたまま、泥が付着して汚れたままでも建物内に出入りして、靴や服を土間で脱ぎ捨てたりすることができ、また、買い物かご等をキッチン近傍まで引っ張っていくことができ、使い勝手がよく、土間空間を多目的に利用することができる。
また、このような本発明では、玄関から勝手口まで連続する長い土間空間が建物の居室内に設けられているので、この土間および土間空間を各種の用途、例えば、勝手口近傍に車付きの買い物かご等を、土が付着し多少汚れたままで置いたり、土間空間を形成する壁部に、家族の写真、家族の誰かが撮った写真や、絵画等を多く飾ったりすることの多目的に利用でき、雰囲気のよい空間、潤いのある空間を作り出すことができる。
さらに、このような本発明では、土間が２つの建物ユニットに跨って形成されているので、広い土間空間とすることができる。ここで、玄関と勝手口とは隣り合う別個の建物ユニットにそれぞれ設けられることが好ましいが、例えば１つの建物ユニットの一方の短辺側に玄関を設け、他方の短辺側に勝手口を設ける等、１つの建物ユニットに設けてもよい。また、勝手口は、土間の連続方向の延長上に連続するように出入り口を設けてもよく、あるいは、土間の連続方向に直交する方向に出入り口を設けてもよい。
そして、このような本発明では、例えば濡れたもの、泥等が付着したものを、収納室に収納することができ、それらのものを土間に置かなくてもすむ。
加えて、このような本発明では、収納室を階段の下方空間に設ければよいので、階段の下方空間の有効利用が図られる。
【０００９】
以上の本発明において、建物は、例えば、複数の建物ユニットを組み合わせて建てられるユニット式建物に限らず、パネル工法による建物、いわゆる在来工法による建物等、どのような工法による建物であってもよい。また、建物の居室内とは、建物の外壁で囲まれた空間をいう。また、土間は外壁に沿って連続して設けられていればよく、建物の長辺方向の外壁、短辺方向の外壁のいずれでもよい。さらに、土間は所定の距離にわたるものであり、一方端に例えば玄関が連続し、他方端に例えば勝手口が連続していることが好ましい。また、土間は、直線的に形成されることが好ましいが、必ずしも直線的でなくてもよく、角部に配置される外壁に沿って、向きが例えば９０°変わるようなＬ字状の土間でもよい。また、土間の幅寸法は限定されないが、例えば１０００ｃｍ〜１２００ｃｍ程度に形成されることが、利用範囲が広がることもあり好ましい。
【００１６】
請求項２に記載の発明は、図４に示すように、請求項１に記載の建物において、箱形建物ユニット１１〜１４は、四隅に立設される４本の柱２と、これらの柱２の上端間同士を結合する４本の天井梁３および下端間同士を結合する４本の床梁４とで構成された骨組み５を備えていることを特徴とするものである。このような本発明では、階段室、収納室等、予め工場で可能な限り取り付けることができ、現場では、各建物ユニットを組み合わせ、所定の建物ユニットに土間コンクリートを打設すればよいので、現場作業が少なくてすみ、工期短縮を図ることができる。
【００１７】
【発明の実施の形態】
以下に、本発明の実施形態を図面に基づいて説明する。
図１には、ユニット式建物１０の１階部分Ａの平面が示され、図３に２階部分Ｂの平面が示されている。
ユニット式建物１０は、予め工場で生産され、かつ、大きさの異なる複数の建物ユニット１１〜１４を現場で組み合わせて建てられており、これらの建物ユニット１１〜１４は、前記建物ユニット１と同様の構造となっている。そして、これらの建物ユニット１１〜１４のうち外側の建物ユニット１１，１２等の外壁１９、窓等により囲まれた空間が居室空間１００とされている。
【００１８】
複数の建物ユニット１１〜１４のうち、図１，２において左上側の玄関階段１５に通じる位置に配置された建物ユニット１２Ａは、玄関用建物ユニットとされ、その内部には、玄関ポーチ１６および玄関１７、第１土間部１８Ａが形成されている。
【００１９】
すなわち、玄関用建物ユニット１２Ａの短辺側一部は玄関ポーチ１６とされ、この玄関ポーチ１６と玄関１７との間に、建物の外壁１９と玄関ポーチ１６用の外壁２０とにわたって玄関壁２１が設けられ、この玄関壁２１には玄関ドア２２が開閉自在に取り付けられている。従って、このような玄関用建物ユニット１２Ａの玄関ポーチ１６にある柱２Ａは、ポーチ柱を形成していることになる。
玄関ポーチ１６には、建物の外壁１９に沿い、かつ、ユニット式建物１０のほぼ全長にわたって形成された外廊下部１６Ａが連続しており、この外廊下部１６Ａの一部には、所定高さ寸法の目隠し壁２６が設けられている。
玄関１７には前記第１土間部１８Ａが連続しており、また、玄関１７の上がり框部２３の脇には、シューズボックス２４が配置され、上がり框部２３の先には玄関ホール２５が形成されている。
【００２０】
玄関用建物ユニット１２Ａに横方向に隣接する建物ユニット１４Ａは土間用建物ユニットとされ、その内部には、主に第２土間部１８Ｂが設けられている。
玄関用建物ユニット１２Ａおよび土間用建物ユニット１４Ａは、互いの短辺方向同士が対向して接続されている。また、玄関用建物ユニット１２Ａ、土間用建物ユニット１４Ａの構造は図示しないが、土間コンクリート打設のため、前記建物ユニット１の短辺側の床梁が取り外され、これに替わって補強梁を設け、あるいは必要に応じて中間梁を設けた骨組みを有するものとなっている。
【００２１】
土間用建物ユニット１４Ａには、長手方向に沿って、ユニット１４Ａの短辺寸法のほぼ半分の幅寸法に形成された前記第２土間部１８Ｂが設けられ、この第２土間部１８Ｂは、土間用建物ユニット１４Ａのほぼ全長にわたり、かつ、その一端は玄関用建物ユニット１２Ａの第１土間部１８Ａに連続している。そして、これら第１土間部１８Ａと第２土間部１８Ｂとで土間１８が構成され、この土間１８は、玄関１７とともに、ユニット式建物１０の外壁１９に沿って連続して設けられていることになる。また、土間１８の幅は、例えば１２００ｃｍ程度に形成されている。そして、土間１８およびその両側の壁面等で室内空間としての土間空間１０１が形成されている。
【００２２】
このような土間１８の他端には、勝手口２９が設けられており、勝手口２９には、開閉自在にドア３０が取り付けられている。従って、勝手口２９から、前記外廊下部１６Ａに出入りできるようになっている。
土間用建物ユニット１４Ａにおいて土間１８に沿った位置には、建物の２階と通じる階段３１を備えた階段室３２が設けられており、この階段３１の下方空間には収納室３５が形成されている。収納室３５は、第２土間部１８Ｂに連続しており、階段３１の一側面側の側壁が所定の大きさに切り欠かれ、出入り口３５Ａとなっている。
【００２３】
第２土間部１８Ｂの他端からは、階段室３２を通って、１階トイレ３６やキッチン３７等に出入りできるようになっている。
また、土間用建物ユニット１４Ａの横方向に隣接する建物ユニット１２には、上記１階トイレ３６とパントリー３８が設けられ、これら１階トイレ３６とパントリー３８には、縦開き窓３９がそれぞれ設けられている。
建物ユニット１１〜１４等で形成される室内空間は、図示しないが適宜間仕切り壁で仕切られ、前記キッチン３７、ダイニング４０、リビング４１等が形成されている。
【００２４】
このようなユニット式建物１０において、前記玄関１７、土間１８とは反対側には、テラス４４が設けられている。このテラス４４の一部は、ユニット式建物１０の外壁４５からリビング４１側に所定寸法入り込んだ形状になっている。
すなわち、細長い建物ユニット１３を挟んで左右に配置された建物ユニット１１の外側には、中間柱２Ａが設けられ、この中間柱２Ａと外側の柱２とには、それぞれ、平断面コ字型の外壁４５が取り付けられており、この外壁４５が外側に突出した形状となっている。そして、これらの外壁４５の間に、前記テラス４４の一部が入り込んで配置されている。
【００２５】
図３には、ユニット式建物１０の２階平面Ｂが示されている。
玄関用建物ユニット１２Ａの上部の建物ユニット１２には、前記階段室３２に通じる廊下４７が設けられ、また、土間用建物ユニット１４Ａの上部の建物ユニット１４には、前記階段室３２と、収納室４８、２階トイレ４９が設けられ、前記パントリー３８等が設けられた建物ユニット１２の上方の建物ユニット１２には、洗面室５０、浴室５１が設けられている。
また、２階には、図示しない３階に通じる階段５２を備えた階段室５３と、図示しない間仕切り壁で適宜仕切られた居室５５が設けられている。
また、前記テラス４４の上方位置には、外壁４５の内側に一部が入り込んでインナーバルコニ５４が設けられている。
【００２６】
次に、このようなユニット式建物１０の施工方法を説明する。
予め工場で生産した各建物ユニット１１〜１４等をトラックで建設現場に搬送し、基礎上に１階建物ユニット１１〜１４を順次載置、固定するとともに、隣り合う建物ユニット同士を連結する。玄関用建物ユニット１２Ａおよび土間用建物ユニット１４Ａは、所定の基礎の上に載せ、互いを連結するとともに隣り合う建物ユニット１２，１４等と連結した後、盛土および切込砕石等の土間形成部に、溶接金網等を配置し、所定の高さ位置まで土間コンクリートを打設し、玄関１７から勝手口２９まで連続する土間１８を形成する。
【００２７】
土間１８を形成する一方で、１階建物ユニット１１〜１４等の上に各２階建物ユニット１１〜１４等を載置するとともに、接合ピン等で互いを連結し、また、２階建物ユニット１１〜１４同士を連結する。
同じように、２階建物ユニット１１〜１４の上に３階建物ユニットを載せて組み合わせ、３階建てのユニット式建物１０を建てる。
【００２８】
このような実施形態によれば、次のような効果がある。
(1) 玄関用建物ユニット１２Ａに設けた玄関１７から、土間用建物ユニット１４Ａに設けた勝手口２９まで連続する土間１８が、建物の外壁１９に沿って、かつ、建物の居室１００内に設けられているので、靴等の履き物をはいたまま土間を通ることができる。従って、例えば雨の日等に濡れたまま、泥が付着して汚れたままでも、玄関１７または勝手口２９から建物内に出入りして、靴や輻を土間で脱ぎ捨てたりすることができ、あるいは、買い物かご等をキッチン近傍まで引っ張っていくことができ、使い勝手がよく、土間空間を多目的に利用することができる。
【００２９】
(2) 土間１８が前述のような構成となっているので、前述のような目的に利用することができる他、土間空間を形成する壁部に、家族の写真、家族の誰かが撮った写真や、絵画等を多く飾ったりすることもでき、雰囲気のよい空間、潤いのある空間を作り出すことができる。
【００３０】
(3) 土間用建物ユニット１４Ａの内部に、土間１８に連続する収納室３５が設けられているので、例えば濡れたもの、泥等が付着したものを、収納室３５に収納することができ、それらのものを土間１８に置かなくてもすみ、土間１８の汚れを防止することができる。
(4) 収納室３５は、階段３１の下方空間に設けられているので、階段３１の下方空間の有効活用が図られる。
【００３１】
(5) 土間１８の幅寸法は例えば１２００ｃｍとされ、人が通ったり、物を運んだりするのに十分であり、例えば、車付きの買い物かご等、頻繁に使用するものを、いちいち収納室３５に収納しなくてもよくなり、利用価値が大きい。
(6) 土間１８の外壁１９を挟んだ外側には、玄関ポーチ１６に連続する外廊下部１６Ａが設けられ、この外廊下部１６Ａに、勝手口２９から出入りすることができる。そのため、玄関１７に来客がある場合等でも、玄関１７を通らなくてもキッチン３７等、室内に入ることができる。また、外廊下部１６Ａには、目隠し壁２６が設けられているので、外部から勝手口２９等が見にくく、これにより、プライバシーを守ることができる。
【００３２】
(7) テラス４４およびインナーバルコニ５４は、それぞれの一部が外壁４５から室内側に入り込んで設けられているので、変化に富んだ外観とすることができる。
(8) 玄関用建物ユニット１２Ａの一部は玄関ポーチ１６とされ、１本の柱２Ａがポーチ柱を形成しているので、玄関ポーチを形成するために、わざわざ専用のポーチ柱を設けなくてもよくなり、その分の手間を少なくでき、また、材料を節約することができる。
【００３３】
なお、本発明は前記実施形態に限定されるものではなく、本発明の目的を達成できるものであれば、次のような変形形態でもよいものである。
例えば、前記実施形態では、玄関１７および土間１８は、ユニット式建物１０の長手方向の外壁１９に沿って設けたが、これに限らず、ユニット式建物１０の短辺方向の外壁１９に沿って設けてもよい。
【００３４】
また、前記実施形態では、勝手口２９を、土間用建物ユニット１４Ａにおける建物ユニット１２側端部に設けたが、土間用建物ユニット１４Ａに設けてあればどこでもよく、例えば、玄関１７寄りの収納室３５の出入り口３５Ａ近傍に設けてもよい。このようにすれば、勝手口２９から収納室３５をすぐに利用することができるという効果がある。
【００３５】
さらに、前記実施形態では、土間１８の幅寸法を１２００ｃｍ程度に形成したが、この土間１８の寸法は限定されず、それ以上でもよく、あるいはそれ以下の寸法でもよい。
【００３６】
また、前記実施形態では、建物として、複数の建物ユニット１１〜１４および、玄関用建物ユニット１２Ａ、土間用建物ユニット１４Ａを組み合わせて建てられるユニット式建物１０としたが、建物はこのようなユニット式建物１０に限らず、パネル工法による建物、いわゆる在来工法による建物等、どのような工法による建物であってもよい。
【００３７】
【発明の効果】
以上に説明したように、請求項１の発明によれば、土間が建物の居室内に、建物の外壁に沿って連続して形成されているので、例えば玄関、勝手口に土間を連続させることで、靴等の履き物をはいたまま土間を通って居室内に出入りすることができる。従って、例えば雨の日等に濡れたまま、泥が付着して汚れたままでも建物内に出入りして、靴や服を土間で脱ぎ捨てたりすることができ、また、買い物かご等をキッチン近傍まで引っ張っていくことができ、使い勝手がよく、土間空間を多目的に利用することができる。
また、このような本発明では、土間が、玄関から当該玄関の反対側に設けられた勝手口まで連続しているので、この土間および土間空間を各種の用途、例えば、勝手口近傍に車付きの買い物かご等を、土が付着し多少汚れたままで置いたり、土間空間を形成する壁部に、家族の写真、家族の誰かが撮った写真や、絵画等を多く飾ったりすることの多目的に利用でき、雰囲気のよい空間、潤いのある空間を作り出すことができる。
さらに、玄関は一つの玄関用建物ユニットに設けられ、勝手口は、土間用建物ユニットに設けられているので、土間が２つの建物ユニットに跨って形成され、これにより、広い土間空間とすることができる。
そして、このような本発明では、土間用建物ユニットの内部に、土間に連続する収納室が設けられているので、例えば濡れたもの、泥等が付着したものを、収納室に収納することができ、それらのものを土間に置かなくてもすむ。
加えて、このような本発明では、土間用建物ユニットに、上階にわたる階段が設けられ、収納室は、階段の下方空間に形成されているので、階段の下方空間の有効利用が図られる。
【００４２】
請求項２の発明によれば、箱形建物ユニットが、四隅に立設される４本の柱と、これらの柱の上端間同士を結合する４本の天井梁および下端間同士を結合する４本の床梁とで構成された骨組みを備えているので、階段室、収納室等、予め工場で可能な限り取り付けることができ、現場では、各建物ユニットを組み合わせ、所定の建物ユニットに土間コンクリートを打設すればよく、これにより、現場作業が少なくてすみ、工期短縮を図ることができる。
【図面の簡単な説明】
【図１】本発明に係る実施形態のユニット式建物を示す１階部の平面図である。
【図２】前記実施形態の要部を示す平面図である。
【図３】前記実施形態のユニット式建物を示す２階部の平面図である。
【図４】本発明に係るユニット式建物を構成する建物ユニットを示す全体斜視図である。
【符号の説明】
１  建物ユニット
１０  ユニット式建物
１２Ａ  玄関用建物ユニット
１７  玄関
１８  土間
１８Ａ  第１土間部
１８Ｂ  第２土間部
１９  外壁
２９  勝手口
３５  収納室
４５  断面コ字状の外壁
【図１】
0004520598.tif 000002
【図２】
0004520598.tif 000003
【図３】
0004520598.tif 000004
【図４】
0004520598.tif 000005